(57)【要約】【課題】今後のデジタル放送などで多チャンネル化した場合に、電子番組表システムによって配信されている番組情報も増加し、前記番組情報からユーザの好みに応じた番組を検索する際に、検索処理時間が増加することが懸念される。上記問題点を解消し、検索処理時間を短縮する番組情報検索装置及びその方法を提供する。【解決手段】番組情報１０２が更新された場合と、検索条件１０５が新規登録または変更された場合に番組条件１０５に関する検索結果１０６を蓄積しておき、ユーザが検索アクションを行った際に、検索結果１０６から表示すべき番組情報を取得し瞬時に表示する。【選択図】図１
2005191620.tif 000002
【特許請求の範囲】
【請求項１】
番組情報を取得する番組情報取得手段と、前記番組情報を蓄積する番組情報蓄積手段と、複数の検索条件を登録する検索条件登録手段と、前記番組情報蓄積手段によって蓄積された番組情報の中から、前記検索条件登録手段によって登録された検索条件に関する番組情報を検索する番組情報検索手段と、前記番組情報取得手段で取得した番組情報が、前記番組情報蓄積手段によって蓄積された番組情報と異なる場合に、前記番組情報検索手段によって検索を行い、前記検索結果を検索条件別に蓄積する検索結果蓄積手段と、ユーザが検索アクションを行った場合に前記検索結果蓄積手段から前記検索アクションに合致した番組情報を取得して表示する表示手段とを有することを特徴とする番組情報検索装置。
【請求項２】
番組情報を取得する番組情報取得ステップと、前記番組情報を蓄積する番組情報蓄積ステップと、複数の検索条件を登録する検索条件登録ステップと、前記番組情報蓄積ステップによって蓄積された番組情報の中から、前記検索条件登録ステップによって登録された検索条件に関する番組情報を検索する番組情報検索ステップと、前記番組情報取得ステップで取得した番組情報が、前記番組情報蓄積ステップで蓄積した番組情報と異なる場合に、前記番組情報検索ステップによって検索を行い、前記番組情報検索ステップで得られた検索結果を検索条件別に蓄積する検索結果蓄積ステップと、ユーザが検索アクションを行った場合に前記検索結果蓄積ステップで蓄積した番組情報から前記検索アクションに合致した番組情報を取得して表示する表示ステップとを有することを特徴とする番組情報検索方法。
【請求項３】
前記検索結果蓄積手段は、前記検索条件登録手段によって検索条件が更新された場合に、前記番組情報検索手段によって検索を行い、前記検索結果を検索条件別に蓄積することを特徴とする請求項１記載の番組情報検索装置。
【請求項４】
前記検索結果蓄積ステップは、前記検索条件登録ステップによって検索条件が更新された場合に、前記番組情報検索ステップによって検索を行い、前記検索結果を検索条件別に蓄積することを特徴とする請求項２記載の番組情報検索方法。
【発明の詳細な説明】
【技術分野】
【０００１】
本発明は放送番組の番組情報検索装置及びその方法に関し、特に、登録された検索条件に関する番組情報の検索を行う番組情報検索装置及びその方法に関する。
【背景技術】
【０００２】
電子番組表システムでは、放送番組に関する付加情報として、番組の名前やジャンル、放送時間などの情報が放送電波に多重化されており、受信機で利用可能とする放送サービスが普及しつつある。この付加情報を用いれば、ユーザの所望の番組を敏速に検索することが出来る（例えば、特許文献１参照）。
【特許文献１】特開２００２−１５２６０９号公報
【発明の開示】
【発明が解決しようとする課題】
【０００３】
しかしながら、上記従来の電子番組表システムでは、ユーザが検索アクションを起こすたびに蓄積情報の中から検索条件に合致する番組情報の検索を行うため、検索結果の表示までに多くの時間が必要であり、今後のデジタル放送などで多チャンネル化した場合に、それとともに付加情報が増大し、検索処理時間が増加することが懸念される。
【０００４】
そこで、本発明では、上記問題点を解消し、検索時間を短くする番組情報検索装置及びその方法を提供する。
【課題を解決するための手段】
【０００５】
上記課題を解決するために、本発明（請求項１）に係る番組情報検索装置は、番組情報を取得する番組情報取得手段と、番組情報を蓄積する番組情報蓄積手段と、複数の検索条件を登録する検索条件登録手段と、番組情報蓄積手段によって蓄積された番組情報の中から、検索条件登録手段によって登録された検索条件に関する番組情報を検索する番組情報検索手段と、番組情報取得手段で取得した番組情報が、番組情報蓄積手段によって蓄積された番組情報と異なる場合に、番組情報検索手段によって検索を行い、検索結果を検索条件別に蓄積する検索結果蓄積手段と、ユーザが検索アクションを行った場合に検索結果蓄積手段から検索アクションに合致した番組情報を取得して表示する表示手段とを備えたものである。
【０００６】
また、本発明（請求項２）に係る番組情報検索方法は、番組情報を取得する番組情報取得ステップと、番組情報を蓄積する番組情報蓄積ステップと、複数の検索条件を登録する検索条件登録ステップと、番組情報蓄積ステップによって蓄積された番組情報の中から、検索条件登録ステップによって登録された検索条件に関する番組情報を検索する番組情報検索ステップと、番組情報取得ステップで取得した番組情報が、番組情報蓄積ステップで蓄積した番組情報と異なる場合に、番組情報検索ステップによって検索を行い、番組情報検索ステップで得られた検索結果を検索条件別に蓄積する検索結果蓄積ステップと、ユーザが検索アクションを行った場合に検索結果蓄積ステップで蓄積した番組情報から検索アクションに合致した番組情報を取得して表示する表示ステップとを有するものである。
【０００７】
また、本発明（請求項３）に係る番組情報検索装置は、請求項１の番組情報検索装置の構成において、検索結果蓄積手段は、検索条件登録手段によって検索条件が更新された場合に、番組情報検索手段によって検索を行い、検索結果を検索条件別に蓄積することを特徴とするものである。
【０００８】
また、本発明（請求項４）に係る番組情報検索方法は、請求項２の番組情報検索方法において、検索条件登録ステップによって検索条件が更新された場合に、番組情報検索ステップによって検索を行い、検索結果を検索条件別に蓄積することを特徴とするものである。
【発明の効果】
【０００９】
本発明によれば、取得した番組情報が更新された場合、または、検索条件が更新された場合に、登録されている検索条件に関する番組の検索を行い、検索結果を検索条件ごとに検索結果蓄積手段によって蓄積しておくため、ユーザの所望の番組情報を検索する際にかかる検索時間を短縮することが出来る。
【発明を実施するための最良の形態】
【００１０】
（実施の形態１）
本発明の実施例について図面を参照して説明する。図１は本発明の実施の形態に係る番組情報検索装置の構成を示すブロック図である。
【００１１】
番組情報検索装置１１３は、番組情報取得部１０１と、検索部１０３と、検索アクション検出部１０７と、検索条件登録部１０４と、表示部１０８から構成される。
【００１２】
検索条件登録部１０４は、ユーザから検索条件登録要求１１１を取得した場合に、検索条件１０５の検索条件ａ〜検索条件ｚのうち空いているメモリにユーザによって入力されたキーワードを登録する。また、検索条件が新規に登録された場合や検索条件が変更された場合は、検索部１０３に検索要求を出す。
【００１３】
番組情報取得部１０１は、外部番組データ１００を番組情報検索装置１１３内で使用できる形式に所定の方法で変換した後で、番組情報１０２として蓄積する。また、外部番組データ１００の情報が番組情報１０２の情報と異なっている場合は、外部番組データ１００を番組情報１０２として蓄積した後で、検索部１０３に検索要求を出す。
【００１４】
検索部１０３は、番組情報取得部１０１や検索条件登録部１０４によって検索要求が発行された場合に、番組情報１０２の中から検索条件１０５の検索条件ａの条件に当てはまる番組情報を検索し、該当する番組情報を検索結果１０６の検索結果ａに格納する。同様に、検索条件ｂ〜検索条件ｚの条件に当てはまる番組を番組情報１０２から検索し、検索結果ｂ〜検索結果ｚに格納する。即ち、検索部１０３が検索処理を実行するのは、番組情報１０２が更新された場合と、検索条件１０５が新規登録または変更された場合のみである。
【００１５】
検索アクション検出部１０７は、ユーザによって行われた検索アクション１１２が、検索条件ａ〜検索条件ｚの内のどの検索条件に対して行われたか判断し、検索条件１０５に対応する検索結果１０６を検索結果ａ〜検索結果ｚの中から選択する。
【００１６】
表示部１０８は、検索アクション検出部１０７で選択された検索結果１０６の中から、例えば時刻によって表示できないものがないかなどの表示条件のチェックを行い、表示条件に合致するものだけを表示装置１１０に表示させる。
【００１７】
上記構成により、ユーザが検索アクション１１２を実行した際に、検索処理を行わなくても良いので、検索結果１０６を表示するまでにかかる時間を短縮することが出来る。
【産業上の利用可能性】
【００１８】
本発明の番組情報検索装置は、電子番組表によって配布される番組情報を取得する番組情報取得手段と、ユーザによって登録された検索条件に関する番組情報を検索する番組情報検索手段とを有する番組情報検索システムにおいて、検索結果を蓄積する検索結果蓄積手段を有し、取得した番組情報が更新されていることが検出された場合、または、検索条件が更新された場合に、登録されている検索条件に関する番組の検索を行い、検索結果を検索条件ごとに検索結果蓄積手段によって蓄積しておくことで、ユーザの所望の番組情報を検索する際にかかる検索時間を短縮することが出来るという効果を有し、放送番組の番組情報検索装置に関し、特に、登録された検索条件に関する番組情報の検索を行う検索システムに関して有用である。
【図面の簡単な説明】
【００１９】
【図１】本発明の実施の形態１に係る番組情報検索装置の構成を示す図
【符号の説明】
【００２０】
１００    外部番組データ
１０１    番組情報取得部
１０２    番組情報
１０３    検索部
１０４    検索条件登録部
１０５    検索条件ａ〜ｚ
１０６    検索結果ａ〜ｚ
１０７    検索アクション検出部
１０８    表示部
１０９    時計
１１０    表示装置
１１１    検索条件入力
１１２    検索アクション入力
１１３    番組情報検索装置
【図１】
2005191620.tif 000003